(57)【要約】【課題】一般ユーザでも簡単に配線作業が行える情報コンセントを提供する。【解決手段】情報コンセントＡ１は、前面に第１〜第３のモジュラジャック６〜８のプラグ挿入口６ａ〜８ａが開口する器体１を備える。また、第１および第２のモジュラジャック６，７のプラグ挿入口６ａ，７ａを覆い隠す閉位置と露出する開位置との間で器体１に対して変位自在（回動自在）としたカバー１３が器体１の前面に設けられ、カバー１３の裏面には公衆電話回線３１を利用したインターネット接続サービスの提供を受ける場合の結線図１５が描かれている。故に、専門知識の乏しい一般ユーザであっても結線図１５を参照することで配線作業を簡単且つ正確に行うことができる。【選択図】        図１
2005116464.tif 000002
【特許請求の範囲】
【請求項１】
公衆回線を利用したネットワーク接続サービスの提供を受けるための通信機器が接続される複数のモジュラジャックと、モジュラジャックを内部に収納するとともにモジュラジャックのプラグ挿入口が前面に開口するハウジングと、モジュラジャックのプラグ挿入口を覆い隠す閉位置とモジュラジャックのプラグ挿入口を露出する開位置との間でハウジングに対して変位自在に設けられたカバーとを備え、カバーが閉位置にあるときはカバーで隠されるとともにカバーが開位置にあるときは露出する部位に、モジュラジャックに前記通信機器を接続したときの結線の状態を表した結線図が描かれたことを特徴とする情報コンセント。
【請求項２】
１乃至複数の前記モジュラジャックと前記結線図とを接続する結線がハウジング前面に描かれたことを特徴とする請求項１記載の情報コンセント。
【発明の詳細な説明】
【技術分野】
【０００１】
本発明は、住宅やオフィスビルなどの建物に設置される情報コンセントに関するものである。
【背景技術】
【０００２】
従来、住宅やオフィスビルなどの建物内に電話線を先行配線する場合、公衆電話回線網の加入者線（以下、「公衆電話回線」と呼ぶ）を保安器から建物内に導入し、建物内の複数箇所に配設された電話コンセントに電話線で送り配線していた。
【０００３】
近年、インターネットの普及に伴って公衆電話回線網を経由してインターネットに接続するインターネット接続サービス、例えば、ＩＳＤＮやＡＤＳＬが提供されており、電話機やファクシミリのような通信機器以外にＩＳＤＮ用のターミナルアダプタやＡＤＳＬモデムなどのインターネット接続サービス用の通信機器が使用される機会が非常に増加してきている。
【０００４】
このような状況下において、電話機やファクシミリのような通信機器（以下、このような通信機器を「一般通信機器」と呼ぶ）と、ターミナルアダプタやＡＤＳＬモデムなどのインターネット接続サービス用の通信機器（以下、このような通信機器を「インターネット用通信機器」と呼ぶ）とが同時に使用できる情報コンセントが提供されている（例えば、特許文献１参照）。
【０００５】
上記特許文献１に開示された情報コンセントでは、公衆電話回線に接続された第１のモジュラジャックと、公衆電話回線に接続されずに互いに並列に接続された１乃至複数の第２のモジュラジャックとを備え、第２のモジュラジャックがさらに複数の電話コンセントに分岐接続されていた。このような従来の情報コンセントにインターネット用通信機器、例えばＡＤＳＬモデムを接続する場合、第１のモジュラジャックとスプリッタ（スプリッタ内蔵型のＡＤＳＬモデムの場合はＡＤＳＬモデム）のＬＩＮＥ端子を通信ケーブル（電話ケーブル）で接続し、スプリッタ（スプリッタ内蔵型のＡＤＳＬモデムの場合はＡＤＳＬモデム）に設けられた電話用端子と第２のモジュラジャックを電話ケーブルで接続するとともに、他の第２のモジュラジャック又は分岐接続された電話コンセントに一般通信機器を接続することでインターネット用通信機器と一般通信機器を同時に使用することができる。
【特許文献１】特開２００２−３１４５７４号公報
【発明の開示】
【発明が解決しようとする課題】
【０００６】
ところが上記従来例では、第１のモジュラジャックとインターネット用通信機器を通信ケーブルで接続し、さらにインターネット用通信機器と第２のモジュラジャックを通信ケーブルで接続する配線（このような配線を「戻し配線」と呼ぶ）が必要であるが、かかる戻し配線は、通常、配線工事を行う専門家ではなくて専門知識が乏しい一般ユーザが行うことから、配線作業が分かり難いという問題があった。
【０００７】
本発明は上記事情に鑑みて為されたものであり、その目的は、一般ユーザでも簡単に配線作業が行える情報コンセントを提供することにある。
【課題を解決するための手段】
【０００８】
請求項１の発明は、上記目的を達成するために、公衆回線を利用したネットワーク接続サービスの提供を受けるための通信機器が接続される複数のモジュラジャックと、モジュラジャックを内部に収納するとともにモジュラジャックのプラグ挿入口が前面に開口するハウジングと、モジュラジャックのプラグ挿入口を覆い隠す閉位置とモジュラジャックのプラグ挿入口を露出する開位置との間でハウジングに対して変位自在に設けられたカバーとを備え、カバーが閉位置にあるときはカバーで隠されるとともにカバーが開位置にあるときは露出する部位に、モジュラジャックに前記通信機器を接続したときの結線の状態を表した結線図が描かれたことを特徴とする。
【０００９】
この発明によれば、通信機器を接続するためにカバーを閉位置から開位置に変位させてモジュラジャックのプラグ挿入口を露出させれば、カバーで隠れていた結線図も露出することとなり、専門知識が乏しい一般ユーザであってもハウジングの前面に描かれた結線図を参照することで簡単に配線作業を行うことができる。しかも、通信機器を接続しない場合、カバーを閉位置に変位させてモジュラジャックのプラグ挿入口をカバーで覆い隠しておけば、結線図も同時にカバーで覆い隠されるから一般ユーザを混乱させることがない。
【００１０】
請求項２の発明は、請求項１の発明において、１乃至複数の前記モジュラジャックと前記結線図とを接続する結線がハウジング前面に描かれたことを特徴とする。
【００１１】
この発明によれば、モジュラジャックと結線図との結線状態がより理解しやすくなる。
【発明の効果】
【００１２】
本発明によれば、通信機器を接続するためにカバーを閉位置から開位置に変位させてモジュラジャックのプラグ挿入口を露出させれば、カバーで隠れていた結線図も露出することとなり、専門知識が乏しい一般ユーザであってもハウジングの前面に描かれた結線図を参照することで簡単に配線作業を行うことができるという効果がある。しかも、通信機器を接続しない場合、カバーを閉位置に変位させてモジュラジャックのプラグ挿入口をカバーで覆い隠しておけば、結線図も同時にカバーで覆い隠されるから一般ユーザを混乱させることがなく、使い勝手が向上するという効果もある。
【発明を実施するための最良の形態】
【００１３】
以下、本発明を実施形態により詳細に説明する。
【００１４】
（実施形態１）
図１に本実施形態の情報コンセントＡ１の正面図を示す。この情報コンセントＡ１は、壁面に設けられた埋込孔に後部を埋め込むようにして配設される埋込形の器体１と、器体１が着脱自在に取り付けられて埋込孔内に配設されたスイッチボックス若しくは壁材に固定される取付枠（図示せず）と、器体１の前面を露出する窓孔３が開口し取付枠の前面に取り付けられて埋込孔並びに取付枠を覆うプレート２とを備え、器体１並びにプレート２でハウジングが構成されている。プレート２は合成樹脂成型品からなり、窓孔３に対して縦寸法が等しく且つ横寸法がほぼ半分の第２の窓孔４が設けられており、この第２の窓孔４には、器体１が取り付けられる取付枠のほぼ半分の横寸法を有する取付枠に縦方向に３個並べて取り付けられ、ＬＡＮケーブルのモジュラプラグが接続されるＲＪ−４５のモジュラジャック（ＬＡＮ用モジュラジャック）を具備したＬＡＮ用コンセント５の前面が露出させてある。なお、これらのＬＡＮ用コンセント５は、建物（例えば、住宅）の他の部屋に配設されているＬＡＮ用コンセントと屋内配線で接続されている。
【００１５】
図３は本実施形態の内部回路を示しており、ＲＪ−１１のモジュラジャックからなる第１〜第３のモジュラジャック６〜８と、公衆電話回線が接続される一対の端子９ａ，９ｂを具備した端子台９と、公衆電話回線を複数系統（４系統）に分岐するための４対の分岐端子１０ａ，１０ｂを具備した分岐端子台１０と、第１〜第３のモジュラジャック６〜８と公衆電話回線との接続状態を切り換える切換部１１とが、合成樹脂により矩形箱状に形成された器体１の内部に収納されている。なお、第１〜第３のモジュラジャック６〜８のプラグ挿入口６ａ〜８ａ並びにＬＡＮ用モジュラジャックのプラグ挿入口は何れも従来周知の構造を有する扉で開閉自在に閉塞されている。
【００１６】
切換部１１は、共通接点１１ｃ1と２つの切換接点１１ａ1，１１ｂ1を択一的に切り換えて導通させる接触子１１ｄ1からなる単極切り換え型のスイッチと、共通接点１１ｃ2と２つの切換接点１１ａ2，１１ｂ2を択一的に切り換えて導通させる接触子１１ｄ2からなる単極切り換え型のスイッチとを有し、２つの接触子１１ｄ1，１１ｄ2が操作部１２の操作により連動して切り換えを行うものである。ここで、各共通接点１１ｃ1，１１ｃ2と端子台９の各端子９ａ，９ｂが接続され、一方の切換接点１１ａ1，１１ａ2に第１のモジュラジャック６がそれぞれ接続されるとともに、他方の切換接点１１ｂ1，１１ｂ2に第２および第３のモジュラジャック７，８と分岐端子台１０がそれぞれ並列に接続されている。
【００１７】
而して、図３に示すように一方の切換接点１１ａ1，１１ａ2が各々共通接点１１ｃ1，１１ｃ2に導通している状態（以下、「第１の接続状態」と呼ぶ）では、端子台９並びに切換部１１を介して第１のモジュラジャック６が公衆電話回線と接続されるとともに第２および第３のモジュラジャック７，８並びに分岐端子台１０が公衆電話回線から切り離され、他方の切換接点１１ｂ1，１１ｂ2が各々共通接点１１ｃ1，１１ｃ2に導通している状態（以下、「第２の接続状態」と呼ぶ）では、第１のモジュラジャック６が公衆電話回線から切り離されるとともに端子台９並びに切換部１１を介して第２および第３のモジュラジャック７，８並びに分岐端子台１０が公衆電話回線と接続される。このように本実施形態では、操作部１２を操作することで切換部１１によって第１の接続状態と第２の接続状態を択一的に切り換えることができるようになっている。なお、操作部１２は器体１の前面にスライド移動自在に設けられており、図１における左側の操作位置にあるときに切換部１１が第１の接続状態に切り換えられ、右側の操作位置にあるときに切換部１１が第２の接続状態に切り換えられる。
【００１８】
第１および第２のモジュラジャック６，７が器体１の前面における左側の部分に縦方向に並べて配設されており、図２に示すように第１および第２のモジュラジャック６，７のプラグ挿入口６ａ，７ａを覆い隠す閉位置と、図１に示すように第１および第２のモジュラジャック６，７のプラグ挿入口６ａ，７ａを露出する開位置との間で器体１に対して変位自在（回動自在）としたカバー１３が器体１の前面に設けられている。また、カバー１３が閉位置および開位置の何れの位置にあるときもカバー１３で覆い隠されない位置に第３のモジュラジャック８のプラグ挿入口８ａが開口している。このカバー１３は合成樹脂により矩形平板状に形成され、器体１の前面に設けられた一対の支持部１４により回動自在に支持されている。なお、支持部１４の具体的構造については従来周知の技術で実現可能であるから説明は省略する。
【００１９】
また、カバー１３の裏面（開位置にあるときに前方に露出する面）には、図１に示すように公衆電話回線を利用したインターネット接続サービスの提供を受けるために第１および第２のモジュラジャック６，７にインターネット用通信機器（図示例ではスプリッタおよびＡＤＳＬモデムなど）を接続する場合の結線図１５がシルク印刷によって描かれている。この結線図１５には、「スプリッタ」並びに「ＡＤＳＬモデム」のインターネット用通信機器を表す記号および文字と、「スプリッタ」の「ＬＩＮＥ」端子に第１のモジュラジャック６を接続する線１５ａと、「スプリッタ」の「ＰＨＯＮＥ」端子に第２のモジュラジャック７を接続する線１５ｂと、「スプリッタ」の「ＭＯＤＥＭ」端子に「ＡＤＳＬモデム」を接続する線１５ｃと、「ＡＤＳＬモデム」にパソコンやＬＡＮ用コンセント５を接続する線１５ｄとが示されており、２つの線１５ａ，１５ｂは器体１の前面において第１および第２のモジュラジャック６，７のプラグ挿入口６ａ，７ａの近傍まで延長されている。なお、「ＡＤＳＬモデム」とＬＡＮ用コンセント５を接続する線１５ｄをプレート２の前面に描いてＬＡＮ用コンセント５の近傍まで延長しても構わない。
【００２０】
次に、本実施形態の情報コンセントＡ１の使用方法について説明する。まず、公衆電話回線を利用したインターネット接続サービスの提供を受けない場合、図２に示すようにカバー１３を閉位置とするとともに操作部１２を操作して切換部１１を第２の接続状態に切り換える。第２の接続状態では第１のモジュラジャック６が公衆電話回線から切り離されるとともに第２および第３のモジュラジャック７，８並びに分岐端子台１０が公衆電話回線と接続されるから、カバー１３で覆い隠されない第３のモジュラジャック８や分岐端子台１０で分岐された電話線に接続された電話コンセントに電話機やファクシミリのような一般通信機器を接続して使用することができる。
【００２１】
一方、公衆電話回線を利用したインターネット接続サービスの提供を受ける場合、図１に示すようにカバー１３を開位置とするとともに操作部１２を操作して切換部１１を第１の接続状態に切り換えると、第１のモジュラジャック６が公衆電話回線３１と接続されるとともに第２および第３のモジュラジャック７，８並びに分岐端子台１０が公衆電話回線３１から切り離される。そして、図４に示すように第１のモジュラジャック６とスプリッタ１６のＬＩＮＥ端子（図示せず）をモジュラケーブル１７で接続し、スプリッタ１６のＰＨＯＮＥ端子１６ａと第２のモジュラジャック７をモジュラケーブル１８で接続するとともに、スプリッタ１６のＭＯＤＥＭ端子１６ｂとＡＤＳＬモデム１９をモジュラケーブル２０で接続する。さらに、ＡＤＳＬモデム１９とＬＡＮ機器（例えば、ルータ２１）をＬＡＮケーブル２２で接続し、ルータ２１とパソコン３０をＬＡＮケーブル２３で接続するとともに、必要に応じてルータ２１とＬＡＮ用コンセント５もＬＡＮケーブル２４で接続する。そして、電話機やファクシミリのような一般通信機器２５はモジュラケーブル２６により第３のモジュラジャック８に接続するか、あるいは分岐端子台１０に電話線で接続されている電話コンセント２７に接続する。ここで、第１の接続状態では第３のモジュラジャック８が公衆電話回線３１から切り離されており、第３のモジュラジャック８に接続された一般通信機器２５は、第２および第３のモジュラジャック７，８とスプリッタ１６を介して公衆電話回線３１に接続されるため、ＡＤＳＬの高周波信号がスプリッタ１６でカットされて第２および第３のモジュラジャック７，８には漏れ出ないから、一般通信機器２５の通話やファックス通信などに悪影響を及ぼさないものである。なお、ＬＡＮ用コンセント５と屋内配線で接続されたＬＡＮ用コンセント２８にパソコン３０を接続すれば、複数台のパソコン３０でインターネット接続サービスを利用することができる。
【００２２】
而して、本実施形態では公衆電話回線３１を利用したインターネット接続サービスの提供を受ける場合の結線図１５がカバー１３の裏面に描かれているため、専門知識の乏しい一般ユーザであっても、カバー１３の裏面に描かれている結線図１５を参照することで上述の配線作業を簡単且つ正確に行うことができる。しかも、インターネット用通信機器を接続しない場合、カバー１３を閉位置として第１および第２のモジュラジャック６，７のプラグ挿入口６ａ，７ａをカバー１３で覆い隠しておけば、図２に示すように結線図１５も同時に覆い隠されるから一般ユーザを混乱させることがないものである。
【００２３】
ところで、図２に示すように器体１の前面には取り外し可能な平板状のブランクチップ３２が取着されており、このブランクチップ３２を取り外した跡にモジュラジャックを取り付けて第３のモジュラジャック８と並列に接続することで一般通信機器を接続するためのモジュラジャックを増設することが可能である。なお、一般通信機器には公衆電話回線を利用して通信を行うアナログモデムも含まれる。
【００２４】
（実施形態２）
図５および図６に本実施形態の情報コンセントＡ２の正面図を示す。但し、実施形態１と共通の構成要素には同一の符号を付して説明を省略し、本実施形態の特徴となる構成についてのみ説明する。
【００２５】
器体１前面において開位置にあるカバー１３で覆われる位置に円形の貫通孔３３が貫設され、切換部１１の接触子１１ｄ1，１１ｄ2を連動して操作する円筒形の操作部３４が器体１の内側から貫通孔３３に挿通されている。本実施形態における切換部１１は、第２の接続状態に対応する切換接点１１ｂ1，１１ｂ2を共通端子１１ｃ1，１１ｃ2に導通させる方向へ接触子１１ｄ1，１１ｄ2が弾性付勢されており、操作部３４が押操作されている間だけ接触子１１ｄ1，１１ｄ2が操作されて第１の接続状態に対応する他方の切換接点１１ａ1，１１ａ2に共通接点１１ｃ1，１１ｃ2を導通させるように構成されている。
【００２６】
一方、カバー１３表面の貫通孔３３と対向する位置には貫通孔３３内に進入して操作部３４を押操作するための突起３５が突設されている。したがって、図６に示すようにカバー１３を閉位置から開位置に回動すると突起３５が貫通孔３３内に進入して操作部３４を押操作するため、接触子１１ｄ1，１１ｄ2が操作されて切換接点１１ａ1，１１ａ2に共通接点１１ｃ1，１１ｃ2を導通させて第１の接続状態に切り換えられる。ここで、器体１前面の貫通孔３３の近傍には、カバー１３の端部に係止してカバー１３を開位置に保持する保持突起３６が設けられている（図６参照）。
【００２７】
実施形態１では、操作部１２の操作忘れなどに起因する切換部１１の切換ミスにより電話機による通話ができない、あるいはインターネット用通信機器によるインターネット接続ができないといった誤動作が生じる虞があるが、本実施形態ではカバー１３の開位置および閉位置に応じて切換部１１が自動的に第１の接続状態と第２の接続状態に択一的に切り換えられるため、切換部１１の切換ミスによる誤動作が防止できるものである。
【００２８】
（実施形態３）
図７および図８に本実施形態の情報コンセントＡ３の正面図を示す。但し、実施形態１，２と共通の構成要素には同一の符号を付して説明を省略し、本実施形態の特徴となる構成についてのみ説明する。
【００２９】
本実施形態におけるカバー３７は、開位置と閉位置の間で平行移動自在として器体１前面に設けられている。すなわち、器体１の前面には幅細の一対のレール溝３８がカバー３７の上下両端部に対向する位置にそれぞれ設けられ、カバー３７の上下両端部に設けられた鈎形の一対の係止部３７ａを各レール溝３８に摺動自在に係止することによってカバー３７がレール溝３８に沿って平行移動自在に器体１の前面に取り付けられる。また、器体１前面の第１および第２のモジュラジャック６，７近傍に結線図１５が描かれている。
【００３０】
而して、図７（ａ）に示すようにカバー３７が閉位置にあるときに第１および第２のモジュラジャック６，７のプラグ挿入口６ａ，７ａと結線図１５がカバー３７で覆い隠され、カバー３７を閉位置から開位置に平行移動させれば、図８に示すように第１および第２のモジュラジャック６，７のプラグ挿入口６ａ，７ａと結線図１５が露出することになる。
【００３１】
また、図７（ｂ）に示すように切換部１１の操作部３４は貫通孔３３を通して器体１前面から前方へ突出しており、カバー３７が開位置にあるときに操作部３４がカバー３７で押操作されることで接触子１１ｄ1，１１ｄ2が操作されて切換接点１１ａ1，１１ａ2に共通接点１１ｃ1，１１ｃ2を導通させて第２の接続状態から第１の接続状態に切り換えられる。
【００３２】
而して、本実施形態も実施形態２と同様に、カバー３７の開位置および閉位置に応じて切換部１１が自動的に第１の接続状態と第２の接続状態に択一的に切り換えられるため、切換部１１の切換ミスによる誤動作が防止できるものである。
【００３３】
（実施形態４）
図９および図１０に本実施形態の情報コンセントＡ４の正面図を示す。但し、実施形態１と共通の構成要素には同一の符号を付して説明を省略し、本実施形態の特徴となる構成についてのみ説明する。
【００３４】
実施形態２，３では切換部１１の操作部３４をカバー１３，３７で押操作する構成としたが、本実施形態は第１のモジュラジャック６のプラグ挿入口６ａに差し込まれるモジュラプラグで操作部を押操作する構成とした点に特徴がある。
【００３５】
第１のモジュラジャック６のプラグ挿入口６ａに対向する底面に切換部１１が配設され、プラグ挿入口６ａに挿入されて第１のモジュラジャック６と接続されたモジュラプラグの先端部で切換部１１の操作部（図示せず）が押操作される。また、切換部１１は、第２の接続状態に対応する切換接点１１ｂ1，１１ｂ2を共通端子１１ｃ1，１１ｃ2に導通させる方向へ接触子１１ｄ1，１１ｄ2が弾性付勢されており、操作部が押操作されている間だけ接触子１１ｄ1，１１ｄ2が操作されて第１の接続状態に対応する他方の切換接点１１ａ1，１１ａ2に共通接点１１ｃ1，１１ｃ2を導通させるように構成されている。したがって、図１０に示すようにカバー１３を閉位置から開位置に回動して第１および第２のモジュラジャック６，７のプラグ挿入口６ａ，７ａを露出し、第１のモジュラジャック６のプラグ挿入口６ａにモジュラプラグを差し込めば、第１のモジュラジャック６と接続されたモジュラプラグの先端部で操作部が押操作されるため、接触子１１ｄ1，１１ｄ2が操作されて切換接点１１ａ1，１１ａ2に共通接点１１ｃ1，１１ｃ2を導通させて第１の接続状態に切り換えられることになる。
【００３６】
而して、本実施形態では第１のモジュラジャック６にモジュラプラグを接続するか否かに応じて切換部１１が自動的に第１の接続状態と第２の接続状態に択一的に切り換えられるため、切換部１１の切換ミスによる誤動作が防止できるものである。
【００３７】
なお、図１１に示すように結線図１５だけでなく、情報コンセントＡ４の内部回路の配線図（図３に示した内部回路図で切換部１１を省略した第１の接続状態を示す図）３９をカバー１３の裏面に描いてもよく、多少専門的な知識を持ったユーザにとっては配線図３９により配線作業が一層簡単になると考えられる。
【図面の簡単な説明】
【００３８】
【図１】実施形態１のカバーを開位置にした状態の正面図である。
【図２】同上のカバーを閉位置にした状態の正面図である。
【図３】同上の内部回路図である。
【図４】同上の配線状態を示す概略図である。
【図５】実施形態２のカバーを閉位置にした状態の正面図である。
【図６】同上のカバーを開位置にした状態の正面図である。
【図７】実施形態３のカバーを閉位置にした状態の正面図である。
【図８】同上のカバーを開位置にした状態の正面図である。
【図９】実施形態４のカバーを閉位置にした状態の正面図である。
【図１０】同上のカバーを開位置にした状態の正面図である。
【図１１】同上の他の構成を示す正面図である。
【符号の説明】
【００３９】
１  器体
６  第１のモジュラジャック
７  第２のモジュラジャック
８  第３のモジュラジャック
１３  カバー
１５  結線図
【図１】
2005116464.tif 000003
【図２】
2005116464.tif 000004
【図３】
2005116464.tif 000005
【図４】
2005116464.tif 000006
【図５】
2005116464.tif 000007
【図６】
2005116464.tif 000008
【図７】
2005116464.tif 000009
【図８】
2005116464.tif 000010
【図９】
2005116464.tif 000011
【図１０】
2005116464.tif 000012
【図１１】
2005116464.tif 000013